(57)【特許請求の範囲】
【請求項１】
少なくとも１つの隣接基地局（ＮＢＳ：Ｎｅｉｇｈｂｏｒｉｎｇ  Ｂａｓｅ  Ｓｔａｔｉｏｎ）に関連付けられた構成パラメータのセットを、前記少なくとも１つのＮＢＳと通信している複数のユーザ機器（ＵＥ：Ｕｓｅｒ  Ｅｑｕｉｐｍｅｎｔ）から受信した測定報告を使用して、計算するステップと、
Ｘ２リンク・セットアップ要求を受信したことに応答して、サービング基地局（ＳＢＳ：Ｓｅｒｖｉｎｇ  Ｂａｓｅ  Ｓｔａｔｉｏｎ）と前記少なくとも１つのＮＢＳとの間における少なくとも１つのＸ２リンクのセットアップの実行可能性を、少なくとも１つの構成パラメータに基づき、決定するステップと、
前記実行可能性を決定したことに応答して、前記少なくとも１つのＸ２リンクの各々について、Ｘ２リンクのアクティブ化及びＸ２リンクのセットアップの開始の一方を、前記少なくとも１つのＸ２リンクの各々の現ステータスに基づいて実行することにより、前記少なくとも１つのＸ２リンクを作成するステップであって、Ｘ２リンクの現ステータスが、新たなリンクのセットアップ要件、及び前記少なくとも１つのＮＢＳのうちの１つに対する既に確立されたＸ２リンクのアクティブ化の一方を含む、作成するステップと、
前記ＳＢＳと前記少なくとも１つのＮＢＳのうちの１つとの間に作成された前記少なくとも１つのＸ２リンクの各々の現使用状況を判断するステップと、
前記少なくとも１つのＸ２リンクの各々の将来の使用状況を、前記複数のＵＥから受信したＵＥ測定報告及び少なくとも１つの構成パラメータに基づき、予測するステップと、
関連付けられた現使用状況及び関連付けられた予測された将来の使用状況に基づき、Ｘ２リンクのうちの前記少なくとも１つを統合するステップと
を含む、ワイヤレス通信ネットワークにおいてＸ２リンクを管理する方法。
【請求項２】
前記構成パラメータのセットが、デフォルト最寄基地局（ＮＢＳ：Ｎｅａｒｅｓｔ  Ｂａｓｅ  Ｓｔａｔｉｏｎ）リスト、測定タイマ、参照信号受信電力（ＲＳＲＰ：Ｒｅｆｅｒｅｎｃｅ  Ｓｉｇｎａｌ  Ｒｅｃｅｉｖｅｄ  Ｐｏｗｅｒ）偏差閾値、リンクの非アクティブ化のための時間間隔閾値、アクティブなＸ２リンクについての未使用時間閾値、ハンドオーバ障害係数、ユーザ機器（ＵＥ）数閾値、ＵＥについての品質制御指数（ＱＣＩ：Ｑｕａｌｉｔｙ  Ｃｏｎｔｒｏｌ  Ｉｎｄｅｘ）、Ｘ２リンク最大値、及び無線リンク障害係数を含むグループから選択される、請求項１に記載の方法。
【請求項３】
前記少なくとも１つのＸ２リンクのセットアップの実行可能性に基づき、前記少なくとも１つのＸ２リンクについてのステータスを決定するステップを更に含む、請求項１に記載の方法。
【請求項４】
前記少なくとも１つのＸ２リンクの各々の現使用状況を判断するステップが、前記少なくとも１つのＮＢＳの各々に関連付けられたハンドオーバ報告を分析するステップを含む、請求項１に記載の方法。
【請求項５】
将来の使用状況を予測するステップが、
前記少なくとも１つのＮＢＳの各々についてのＮＢＳ  ＲＳＲＰ変化レート及び前記ＳＢＳについてのＳＢＳ  ＲＳＲＰ変化レートを、各ＵＥから受信した関連付けられた連続的なＵＥ測定報告に基づき、計算するステップと、
ハンドオーバのための少なくとも１つの潜在的ＵＥを、前記少なくとも１つのＮＢＳについて計算された各ＮＢＳ  ＲＳＲＰ変化レート及び前記ＳＢＳ  ＲＳＲＰ変化レートに基づき、識別するステップと
を含む、請求項１に記載の方法。
【請求項６】
ＳＢＳ及び前記少なくとも１つのＮＢＳに関連付けられた各ＵＥについて、予測ＲＳＲＰ  ＳＢＳ値及び予測ＲＳＲＰ  ＮＢＳ値を計算するステップと、
ＳＢＳ及び前記少なくとも１つのＮＢＳに関連付けられた各ＵＥについて、関連付けられた予測ＲＳＲＰ  ＳＢＳ値及び関連付けられた予測ＲＳＲＰ  ＮＢＳ値を、ＲＳＲＰエラー偏差の限界閾値で、検証するステップと
を更に含む、請求項５に記載の方法。
【請求項７】
統合するステップが、
前記少なくとも１つのＸ２リンクの各々の予測未使用時間を、関連付けられた予測ＲＳＲＰ  ＳＢＳ値及び関連付けられた予測ＲＳＲＰ  ＮＢＳ値に基づき、計算するステップと、
前記少なくとも１つのＸ２リンクのうちの１つを、関連付けられた予測未使用時間がアクティブなＸ２リンクについての未使用時間閾値を上回るときに、終了するステップと
を含む、請求項６に記載の方法。
【請求項８】
統合するステップが、前記少なくとも１つのＸ２リンクのうちの１つを、ＵＥの総数と、各ＵＥの品質制御指数と、それぞれの閾値を有するＸ２リンクの数との比較に基づき、再作成するステップを含む、請求項１に記載の方法。
【請求項９】
前記少なくとも１つのＸ２リンクを作成するステップに応答して、前記少なくとも１つのＸ２リンクを使用及び維持するために必要なネットワーク・リソースを決定するステップを更に含む、請求項１に記載の方法。
【請求項１０】
少なくとも１つのプロセッサと、
前記少なくとも１つのプロセッサによって実行されたとき、前記少なくとも１つのプロセッサに、
少なくとも１つの隣接基地局（ＮＢＳ）に関連付けられた構成パラメータのセットを、前記少なくとも１つのＮＢＳと通信している複数のユーザ機器（ＵＥ）から受信した測定報告を使用して、計算することと、
Ｘ２リンク・セットアップ要求を受信したことに応答して、サービング基地局（ＳＢＳ）と前記少なくとも１つのＮＢＳとの間における少なくとも１つのＸ２リンクのセットアップの実行可能性を、少なくとも１つの構成パラメータに基づき、決定することと、
前記実行可能性を決定したことに応答して、前記少なくとも１つのＸ２リンクの各々について、Ｘ２リンクのアクティブ化及びＸ２リンクのセットアップの開始の一方を、前記少なくとも１つのＸ２リンクの各々の現ステータスに基づいて実行することにより、前記少なくとも１つのＸ２リンクを作成することであって、Ｘ２リンクの現ステータスが、新たなリンクのセットアップ要件、及び前記少なくとも１つのＮＢＳのうちの１つに対する既に確立されたＸ２リンクのアクティブ化の一方を含む、作成することと、
前記ＳＢＳと前記少なくとも１つのＮＢＳのうちの１つとの間に作成された前記少なくとも１つのＸ２リンクの各々の現使用状況を判断することと、
前記少なくとも１つのＸ２リンクの各々の将来の使用状況を、前記複数のＵＥから受信したＵＥ測定報告及び少なくとも１つの構成パラメータに基づき、予測することと、
関連付けられた現使用状況及び関連付けられた予測された将来の使用状況に基づき、Ｘ２リンクのうちの前記少なくとも１つを統合することと
を含む操作を実行させる命令を記憶する、コンピュータ可読記憶媒体と
を含む、ワイヤレス通信ネットワークにおいてＸ２リンクを管理するためのシステム。
【請求項１１】
前記操作が、前記少なくとも１つのＸ２リンクのセットアップの実行可能性に基づき、前記少なくとも１つのＸ２リンクについてのステータスを決定することを更に含む、請求項１０に記載のシステム。
【請求項１２】
前記少なくとも１つのＸ２リンクの各々の現使用状況を判断する前記操作が、前記少なくとも１つのＮＢＳの各々に関連付けられたハンドオーバ報告を分析する操作を含む、請求項１０に記載のシステム。
【請求項１３】
将来の使用状況を予測する前記操作が、
前記少なくとも１つのＮＢＳの各々についてのＮＢＳ  ＲＳＲＰ変化レート及び前記ＳＢＳについてのＳＢＳ  ＲＳＲＰ変化レートを、各ＵＥから受信した関連付けられた連続的なＵＥ測定報告に基づき、計算し、
ハンドオーバのための少なくとも１つの潜在的ＵＥを、前記少なくとも１つのＮＢＳについて計算された各ＮＢＳ  ＲＳＲＰ変化レート及び前記ＳＢＳ  ＲＳＲＰ変化レートに基づき、識別する
操作を含む、請求項１０に記載のシステム。
【請求項１４】
前記操作が、
ＳＢＳ及び前記少なくとも１つのＮＢＳに関連付けられた各ＵＥについて、予測ＲＳＲＰ  ＳＢＳ値及び予測ＲＳＲＰ  ＮＢＳ値を計算することと、
ＳＢＳ及び前記少なくとも１つのＮＢＳに関連付けられた各ＵＥについて、関連付けられた予測ＲＳＲＰ  ＳＢＳ値及び関連付けられた予測ＲＳＲＰ  ＮＢＳ値を、ＲＳＲＰエラー偏差の限界閾値で、検証することと
を更に含む、請求項１３に記載のシステム。
【請求項１５】
統合する操作が、
前記少なくとも１つのＸ２リンクの各々の予測未使用時間を、関連付けられた予測ＲＳＲＰ  ＳＢＳ値及び関連付けられた予測ＲＳＲＰ  ＮＢＳ値に基づき、計算し、
前記少なくとも１つのＸ２リンクのうちの１つを、関連付けられた予測未使用時間がアクティブなＸ２リンクについての未使用時間閾値を上回るときに、終了する
操作を更に含む、請求項１４に記載のシステム。
【請求項１６】
統合する前記操作が、前記少なくとも１つのＸ２リンクのうちの１つを、ＵＥの総数と、各ＵＥの品質制御指数と、それぞれの閾値を有するＸ２リンクの数との比較に基づき、再作成する操作を含む、請求項１に記載のシステム。
【請求項１７】
前記操作が、前記少なくとも１つのＸ２リンクを作成することに応答して、前記少なくとも１つのＸ２リンクを使用及び維持するために必要なネットワーク・リソースを決定することを更に含む、請求項１０に記載のシステム。
【請求項１８】
前記構成パラメータのセットが、デフォルト最寄基地局（ＮＢＳ）リスト、測定タイマ、参照信号受信電力（ＲＳＲＰ）偏差閾値、リンクの非アクティブ化のための時間間隔閾値、アクティブなＸ２リンクについての未使用時間閾値、ハンドオーバ障害係数、ユーザ機器（ＵＥ）数閾値、ＵＥについての品質制御指数（ＱＣＩ）、Ｘ２リンク最大値、及び無線リンク障害係数を含むグループから選択される、請求項１０に記載のシステム。
【請求項１９】
コンピューティング・デバイスによって実行されたとき、前記コンピューティング・デバイスに、
少なくとも１つの隣接基地局（ＮＢＳ）に関連付けられた構成パラメータのセットを、前記少なくとも１つのＮＢＳと通信している複数のユーザ機器（ＵＥ）から受信した測定報告を使用して、計算させ、
Ｘ２リンク・セットアップ要求を受信したことに応答して、サービング基地局（ＳＢＳ）と前記少なくとも１つのＮＢＳとの間における少なくとも１つのＸ２リンクのセットアップの実行可能性を、少なくとも１つの構成パラメータに基づき、決定させ、
前記実行可能性を決定させたことに応答して、前記少なくとも１つのＸ２リンクの各々について、Ｘ２リンクのアクティブ化及びＸ２リンクのセットアップの開始の一方を、前記少なくとも１つのＸ２リンクの各々の現ステータスに基づいて実行することにより、前記少なくとも１つのＸ２リンクを作成させ、このとき、Ｘ２リンクの現ステータスが、新たなリンクのセットアップ要件、及び前記少なくとも１つのＮＢＳのうちの１つに対する既に確立されたＸ２リンクのアクティブ化の一方を含んでおり、
前記ＳＢＳと前記少なくとも１つのＮＢＳのうちの１つとの間に作成された前記少なくとも１つのＸ２リンクの各々の現使用状況を判断させ、
前記少なくとも１つのＸ２リンクの各々の将来の使用状況を、前記複数のＵＥから受信したＵＥ測定報告及び少なくとも１つの構成パラメータに基づき、予測させ、
関連付けられた現使用状況及び関連付けられた予測された将来の使用状況に基づき、Ｘ２リンクのうちの前記少なくとも１つを統合させる、
ワイヤレス通信ネットワークにおいてＸ２リンクを管理するための、非一時的コンピュータ可読記憶媒体。
【請求項２０】
前記構成パラメータのセットが、デフォルト最寄基地局（ＮＢＳ）リスト、測定タイマ、参照信号受信電力（ＲＳＲＰ）偏差閾値、リンクの非アクティブ化のための時間間隔閾値、アクティブなＸ２リンクについての未使用時間閾値、ハンドオーバ障害係数、ユーザ機器（ＵＥ）数閾値、ＵＥについての品質制御指数（ＱＣＩ）、Ｘ２リンク最大値、及び無線リンク障害係数を含むグループから選択される、請求項１９に記載の非一時的コンピュータ可読記憶媒体。
【発明の詳細な説明】
【技術分野】
【０００１】
本開示は、概して、ワイヤレス通信ネットワークに関し、より詳細には、ワイヤレス通信ネットワークにおけるＸ２リンク管理のための方法及びシステムに関する。
【背景技術】
【０００２】
ロング・ターム・エボリューション（ＬＴＥ：Ｌｏｎｇ  Ｔｅｒｍ  Ｅｖｏｌｕｔｉｏｎ）において、運用コストを抑えるためのワイヤレス・ネットワークの自動最適化は、他のワイヤレス・ネットワークと比較した場合、かなり複雑なものとなっている。その複雑性の原因は、複数のネットワーク及び地理的パラメータが要求されることにある。当初は、ＬＴＥネットワークの実装における主眼は、無線のカバー範囲にあった。しかし、加入者数の増加と、それに応じたサービス要求の増加（例えば、マルチメディア・オンライン・ゲーミング（ＭＭＯＧ：Ｍｕｌｔｉｍｅｄｉａ  Ｏｎｌｉｎｅ  Ｇａｍｉｎｇ）、モバイルＴＶ、Ｗｅｂ２．０、高精細度（Ｈｉｇｈ  Ｄｅｆｉｎｉｔｉｏｎ）ビデオ・ストリーミング、ライブ・ミーティング）に伴い、サービス品質を損なわずに、期待されるレベルまでＬＴＥネットワークの能力を向上させることが課題となった。
【０００３】
更に、ブロードバンド・ワイヤレス・ネットワークでは、ユーザ機器（ＵＥ：Ｕｓｅｒ  Ｅｑｕｉｐｍｅｎｔ）のユーザに対し、所望されるサービスのカバー範囲を提供するために、例えば、ＬＴＥや、数箇所の発展型ノード基地局（ｅＮＢ：Ｅｖｏｌｖｅｄ  Ｎｏｄｅ  Ｂａｓｅ  Ｓｔａｔｉｏｎ）が展開される。２つのｅＮＢは、Ｘ２インタフェースを通じて接続される。Ｘ２インタフェースは、２つのＢＳが正しく相互運用するために必要な、アプリケーション・レベルの構成データを交換するために使用される。この構成データは、例えば、「ハンドオーバ」、「Ｘ２リセット」、及び「ｅＮＢ構成更新」といった、様々な機能のために使用される。しかし、隣接するｅＮＢへのＵＥのハンドオーバのために、好ましい期間内でＸ２リンクを作成するには制限がある。このことは、ＵＥの効率的且つ円滑なハンドオーバに影響を与え、よって、エンド・ユーザが受けるサービス品質及び運用のコストにも影響が及ぶ。
【発明の概要】
【課題を解決するための手段】
【０００４】
一実施例では、ワイヤレス通信ネットワークにおいてＸ２リンクを管理する方法が開示される。本方法は、少なくとも１つの隣接基地局（ＮＢＳ：Ｎｅｉｇｈｂｏｒｉｎｇ  Ｂａｓｅ  Ｓｔａｔｉｏｎ）に関連付けられた構成パラメータのセットを、少なくとも１つのＮＢＳと通信している複数のユーザ機器（ＵＥ）から受信した測定報告を使用して、計算するステップと、Ｘ２リンク・セットアップ要求を受信したことに応答して、サービング基地局（ＳＢＳ：Ｓｅｒｖｉｎｇ  Ｂａｓｅ  Ｓｔａｔｉｏｎ）と少なくとも１つのＮＢＳとの間における少なくとも１つのＸ２リンクのセットアップの実行可能性を、少なくとも１つの構成パラメータに基づき、決定するステップと、実行可能性を決定したことに応答して、少なくとも１つのＸ２リンクの各々について、Ｘ２リンクのアクティブ化及びＸ２リンクのセットアップの開始の一方を、少なくとも１つのＸ２リンクの各々の現ステータスに基づいて実行することにより、少なくとも１つのＸ２リンクを作成するステップであって、Ｘ２リンクの現ステータスが、新たなリンクのセットアップ要件、及び少なくとも１つのＮＢＳのうちの１つに対する既に確立されたＸ２リンクのアクティブ化の一方を含む、作成するステップと、ＳＢＳと少なくとも１つのＮＢＳのうちの１つとの間に作成された少なくとも１つのＸ２リンクの各々の現使用状況を判断するステップと、少なくとも１つのＸ２リンクの各々の将来の使用状況を、複数のＵＥから受信したＵＥ測定報告及び少なくとも１つの構成パラメータに基づき、予測するステップと、現使用状況及び予測された将来の使用状況に基づき、Ｘ２リンクのうちの少なくとも１つを統合するステップとを含む。
【０００５】
別の実施例では、ワイヤレス通信ネットワークにおいてＸ２リンクを管理するためのシステムが開示される。本システムは、少なくとも１つのプロセッサと、少なくとも１つのプロセッサによって実行されたとき、少なくとも１つのプロセッサに、少なくとも１つのＮＢＳに関連付けられた構成パラメータのセットを、少なくとも１つのＮＢＳと通信している複数のＵＥから受信した測定報告を使用して、計算することと、Ｘ２リンク・セットアップ要求を受信したことに応答して、ＳＢＳと少なくとも１つのＮＢＳとの間における少なくとも１つのＸ２リンクのセットアップの実行可能性を、少なくとも１つの構成パラメータに基づき、決定することと、実行可能性を決定したことに応答して、少なくとも１つのＸ２リンクの各々について、Ｘ２リンクのアクティブ化及びＸ２リンクのセットアップの開始の一方を、少なくとも１つのＸ２リンクの各々の現ステータスに基づいて実行することにより、少なくとも１つのＸ２リンクを作成することであって、Ｘ２リンクの現ステータスが、新たなリンクのセットアップ要件、及び少なくとも１つのＮＢＳのうちの１つに対する既に確立されたＸ２リンクのアクティブ化の一方を含む、作成することと、ＳＢＳと少なくとも１つのＮＢＳのうちの１つとの間に作成された少なくとも１つのＸ２リンクの各々の現使用状況を判断することと、少なくとも１つのＸ２リンクの各々の将来の使用状況を、複数のＵＥから受信したＵＥ測定報告及び少なくとも１つの構成パラメータに基づき、予測することと、現使用状況及び予測された将来の使用状況に基づき、Ｘ２リンクのうちの少なくとも１つを統合することとを含む操作を実行させる命令を記憶する、コンピュータ可読媒体とを含む。
【０００６】
更に別の実施例では、ワイヤレス通信ネットワークにおいてＸ２リンクを管理するための非一時的コンピュータ可読記憶媒体が開示される。本非一時的コンピュータ可読記憶媒体は、コンピューティング・デバイスによって実行されたとき、コンピューティング・デバイスに、少なくとも１つのＮＢＳに関連付けられた構成パラメータのセットを、少なくとも１つのＮＢＳと通信している複数のＵＥから受信した測定報告を使用して、計算させ、Ｘ２リンク・セットアップ要求を受信したことに応答して、ＳＢＳと少なくとも１つのＮＢＳとの間における少なくとも１つのＸ２リンクのセットアップの実行可能性(feasibility)を、少なくとも１つの構成パラメータに基づき、決定させ、実行可能性を決定させたことに応答して、少なくとも１つのＸ２リンクの各々について、Ｘ２リンクのアクティブ化及びＸ２リンクのセットアップの開始の一方を、少なくとも１つのＸ２リンクの各々の現ステータスに基づいて実行することにより、少なくとも１つのＸ２リンクを作成させ、このとき、Ｘ２リンクの現ステータスが、新たなリンクのセットアップ要件、及び少なくとも１つのＮＢＳのうちの１つに対する既に確立されたＸ２リンクのアクティブ化の一方を含んでおり、ＳＢＳと少なくとも１つのＮＢＳのうちの１つとの間に作成された少なくとも１つのＸ２リンクの各々の現使用状況を判断させ、少なくとも１つのＸ２リンクの各々の将来の使用状況を、複数のＵＥから受信したＵＥ測定報告及び少なくとも１つの構成パラメータに基づき、予測させ、現使用状況及び予測された将来の使用状況に基づき、Ｘ２リンクのうちの少なくとも１つを統合させる。
【０００７】
上述の概括的説明及び以下の詳細な説明は共に例示的且つ説明的なものに過ぎず、特許請求される発明を制限するものではないことを理解されたい。
【０００８】
本開示に組み込まれ、その一部を成す添付図面は、例示的実施例を図解すると共に、その説明と併せることで、開示される原理を説明する役に立つ。
【図面の簡単な説明】
【０００９】
【図１】様々な実施例が機能し得る例示的ワイヤレス通信ネットワークを示す図である。
【図２】一実施例による、基地局（ＢＳ：Ｂａｓｅ  Ｓｔａｔｉｏｎ）内の制御アプリケーションが持つ様々なコンポーネントの通信を示すブロック図である。
【図３】一実施例による、ワイヤレス通信ネットワーク内でＸ２リンクを管理するための方法のフローチャートである。
【図４】一実施例による、Ｘ２リンクの将来の使用状況を予測するための方法のフローチャートである。
【図５】一実施例による、Ｘ２リンクを統合するための方法のフローチャートである。
【図６】様々な実施例に対する処理機能を実装するために採用され得る例示的コンピューティング・システムを示す図である。
【発明を実施するための形態】
【００１０】
添付図面を参照しながら、例示的実施例が説明される。便宜上、同一又は類似の部分の参照には、各図面で一貫して、同一の参照番号が使用される。開示される原理の実例及び特徴が、本明細書において説明されるが、開示される実施例の趣旨及び範囲から逸脱することなく、修正、改作、及び異なる実装形態も可能である。以下の詳細な説明が単なる例示と見なされ、真の範囲及び趣旨は、続く特許請求の範囲によって示されることが意図される。
【００１１】
追加の例示的実施例が以下に列挙される。一実施例において、様々な実施例が機能し得る例示的ワイヤレス通信ネットワーク１００が、図１に示される。ワイヤレス通信ネットワーク１００はロング・ターム・エボリューション（ＬＴＥ）ネットワークであり、発展型ノード基地局（ｅＮＢ）１０２及びｅＮＢ１０４を含む。ワイヤレス通信ネットワーク１００は、２つよりも多くのｅＮＢを持つこともでき、それにより、それらのｅＮＢのうちの１つがサービング基地局（ＳＢＳ）の役割を果たし、他のｅＮＢが隣接基地局（ＮＢＳ）の役割を果たすようにしてもよい。例えば、そのＳＢＳは、関連付けられた６つのＮＢＳを持ってよい。ｅＮＢ１０２はカバレッジ・エリア１０６を持ち、カバレッジ・エリア１０６内のユーザ機器（ＵＥ）１０８、ＵＥ１１０、及びＵＥ１１２とワイヤレスに通信する。ｅＮＢ１０４はカバレッジ・エリア１１４を持ち、カバレッジ・エリア１１４内のＵＥ１１６、１１８、及び１２０とワイヤレスに通信する。限定するものではないが、ＵＥの例としては、携帯電話、スマートフォン、タブレット、ファブレット、及びラップトップが挙げられる。ｅＮＢ１０２及びｅＮＢ１０４は、ワイヤレス通信ネットワーク１００向けに、発展型ＵＭＴＳ地上無線アクセス・ネットワーク（Ｅ−ＵＴＲＡＮ：ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ）を形成する。
【００１２】
ｅＮＢ１０２はモビリティ管理エンティティ（ＭＭＥ：Ｍｏｂｉｌｉｔｙ  Ｍａｎａｇｅｍｅｎｔ  Ｅｎｔｉｔｙ）１２２と、ｅＮＢ１０４はＭＭＥ１２４と、それぞれがＳ１インタフェースを使用して、ワイヤレスに通信する。ＭＭＥ１２２及びＭＭＥ１２４の各々は、サービング・ゲートウェイ（Ｓ−ＧＷ：Ｓｅｒｖｉｎｇ  Ｇａｔｅｗａｙ）によって置き換えられてもよい。ＭＭＥ１２２及びＭＭＥ１２４の各々は更に、それぞれがＳ５インタフェースを通じて、パケット・データ・ネットワーク・ゲートウェイ（ＰＤＮ−ＧＷ：Ｐａｃｋｅｔ  Ｄａｔａ  Ｎｅｔｗｏｒｋ  Ｇａｔｅｗａｙ）１２６と通信する。更に、ＰＤＮ−ＧＷ１２６は、ＳＧｉリンクを通じて、ワイヤレス通信ネットワーク１００をインターネット１２８と接続する。
【００１３】
ワイヤレス通信ネットワーク１００は、ＬＴＥネットワークに限定されず、また限定するものではないが、全世界相互運用マイクロ波アクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、符号分割多元接続（ＣＤＭＡ：Ｃｏｄｅ  Ｄｉｖｉｓｉｏｎ  Ｍｕｌｔｉｐｌｅ  Ａｃｃｅｓｓ）、ＧＳＭ（登録商標）発展型高速データ・レート（ＥＤＧＥ：Ｅｎｈａｎｃｅｄ  Ｄａｔａ  ｒａｔｅｓ  ｆｏｒ  ＧＳＭ  Ｅｖｏｌｕｔｉｏｎ）、及び高速パケット・アクセス（ＨＳＰＡ：Ｈｉｇｈ  Ｓｐｅｅｄ  Ｐａｃｋｅｔ  Ａｃｃｅｓｓ）も含み得るということは、当業者にとっては明白となるであろう。更に、ＬＴＥ以外のワイヤレス通信ネットワークについても、そのワイヤレス通信ネットワークに関連付けられたネットワーク・コンポーネント及びパラメータが使用されるということも、当業者にとっては明白となるであろう。
【００１４】
ここで図２を参照すると、一実施例による、ＢＳ内の制御アプリケーション２００が持つ様々なコンポーネントに関する通信についてのブロック図が示されている。制御アプリケーション２００は、構成モジュール２０２、ダイナミックＸ２アプリケーション・プロトコル（ＡＰ：Ａｐｐｌｉｃａｔｉｏｎ  Ｐｒｏｔｏｃｏｌ）２０４、Ｓ１  ＡＰ２０６、及び無線リソース・コントローラ（ＲＲＣ：Ｒａｄｉｏ  Ｒｅｓｏｕｒｃｅ  Ｃｏｎｔｒｏｌｌｅｒ）２０８を含む。構成モジュール２０２は、ＢＳ内の管理アプリケーション（ＭＡ：Ｍａｎａｇｅｍｅｎｔ  Ａｐｐｌｉｃａｔｉｏｎ）２１０から、制御アプリケーション２００内のＭＡインタフェース（ＭＡＩ：ＭＡ−Ｉｎｔｅｒｆａｃｅ）２１２を通じて、構成パラメータのセットを受信する。構成パラメータのセットは、限定するものではないが、デフォルト最寄基地局（ＮＢＳ：Ｎｅａｒｅｓｔ  Ｂａｓｅ  Ｓｔａｔｉｏｎ）リスト、測定タイマ、参照信号受信電力（ＲＳＲＰ：Ｒｅｆｅｒｅｎｃｅ  Ｓｉｇｎａｌ  Ｒｅｃｅｉｖｅｄ  Ｐｏｗｅｒ）偏差閾値、デフォルトＲＳＲＰ測定範囲リスト、リンクの非アクティブ化のための時間間隔閾値、アクティブなＸ２リンクについての未使用時間閾値、ハンドオーバ障害係数、ユーザ機器（ＵＥ）数閾値、ＵＥについての品質制御指数（ＱＣＩ：Ｑｕａｌｉｔｙ  Ｃｏｎｔｒｏｌ  Ｉｎｄｅｘ）、Ｘ２リンク最大値、及び無線リンク障害係数を含み得る。
【００１５】
こうした構成パラメータのセットは、システムの起動中にダイナミックＸ２  ＡＰ２０４に送信され、次いで、ダイナミックＸ  ２ＡＰ２０４自身の持続性メモリにロードされる。その後、これらの構成パラメータは、１つ又は複数のＮＢＳとのＸ２リンクを管理するために、ダイナミックＸ２  ＡＰ２０４によって使用される。Ｘ２リンクの管理には、１つ又は複数のＸ２リンクの作成、切断、維持、又は統合が含まれ得る。そのために、ダイナミックＸ２  ＡＰ２０４は、Ｓ１  ＡＰ２０６及びＲＲＣ２０８と通信する。一実施例において、構成パラメータのセットは、以下に示す表１によって表され、説明されるものであってよい。
【００１６】
【表１−１】
0006763670.tif 000002
【表１−２】
0006763670.tif 000003
【表１−３】
0006763670.tif 000004
【００１７】
構成パラメータのセットを１つ又は複数使用することによりダイナミックＸ２  ＡＰ２０４が至った管理判断に基づき、ＮＢＳとの新たなＸ２リンクの作成や、既存のＸ２リンクの切断又は将来の使用に向けた維持がなされてよい。それに応じて、ダイナミックＸ２  ＡＰ２０４は、構成パラメータのセットに関連付けられた情報を、自身の持続性メモリ内で更新する。この更新された情報は、次いで、Ｓ１  ＡＰ２０６及びＲＲＣ２０８に送信される。加えて、更新された情報は、ＭＡＩ２１２を通じて、ＭＡ２１０にも送信される。その結果、ダイナミックＸ２  ＡＰ２０４は、１つ又は複数のＮＢＳとのＸ２リンクを動的に管理することができ、リソースの最適化や、これらのＸ２リンクの最大活用が図られる。
【００１８】
ここで図３を参照すると、一実施例による、ワイヤレス通信ネットワーク内でＸ２リンクを管理するための方法のフローチャートが示されている。３０２では、ＭＡ２１０が、１つ又は複数のＮＢＳに関連付けられた構成パラメータのセットを、その１つ又は複数のＮＢＳと通信している複数のＵＥから受信した測定報告を使用して計算する。一実施例では、あるＳＢＳが、Ｘ２リンクを確立可能なＮＢＳを６つ持つ。構成パラメータのセットは、限定するものではないが、デフォルトＮＢＳリスト、測定タイマ、ＲＳＲＰ偏差閾値、デフォルトＲＳＲＰ測定範囲リスト、リンクの非アクティブ化のための時間間隔閾値、アクティブなＸ２リンクについての未使用時間閾値、ハンドオーバ障害係数、ＵＥ数閾値、ＵＥについてのＱＣＩ、Ｘ２リンク最大値、及び無線リンク障害係数を含み得る。
【００１９】
こうした構成パラメータのセットは、次いで、構成モジュール２０２によって受信される。構成モジュール２０２は、これらの構成パラメータのセットを自身の持続性メモリに記憶し、更にダイナミックＸ２  ＡＰ２０４と共有する。３０４では、Ｘ２リンク・セットアップ要求を受信したことに応答して、１つ又は複数の構成パラメータのセットに基づき、ＳＢＳと１つ又は複数のＮＢＳとの間の１つ又は複数のＸ２リンクのセットアップの実行可能性が決定される。例示的一実施例では、この実行可能性は、以下のように求められる。
ステップ１：ダイナミックＸ２  ＡＰ２０４が、ｉ≦ＮＢＳＤｅｆａｕｌｔとなるまで、ＮＢＳのうちの１つに対するＸ２リンクのセットアップのためのｉ番目の要求を受信する。
ステップ２：ダイナミックＸ２  ＡＰ２０４が、以下に示す式１を使用してネットワーク・リソースを計算することにより、コンテキストを作成するためのリソース可用性を分析する。
ＮｅｔＲｅｓｏｕｒｃｅ＝Ｎ＊［ＮＢＳ＿ｃｏｎｔｅｘｔ＋Ｘ２ＡＰＬｉｎｋ＿ＭＡ＋Ｘ２Ｌｉｎｋ＿Ｒｅｓｏｕｒｃｅ］＊Ｔ  …（１）
上式において、
Ｎ＝静的構成ファイル内で定義されるＸ２リンクの数
Ｔ＝アクティブなＸ２リンクの持続時間
ＮＢＳ＿ｃｏｎｔｅｘｔ＝Ｘ２リンク持続中のＮＢＳメモリ・コンテキスト
Ｘ２ＡＰＬｉｎｋ＿ＭＡ＝連続的なＸ２リンク操作及び維持に掛かるＣＰＵ使用率
Ｘ２Ｌｉｎｋ＿Ｒｅｓｏｕｒｃｅ＝Ｘ２リンクのために必要なＩＰアドレス＆ポート番号といったリソース
ステップ３：ダイナミックＸ２  ＡＰ２０４が、構成パラメータのセットからＸ２リンク作成フラグを抽出することにより、Ｘ２  ＡＰセットアップについての実行可能性をチェックする。
ステップ４：ダイナミックＸ２  ＡＰ２０４が、潜在的Ｘ２リンク・セットアップ情報を、Ｘ２リンク情報（Ｘ２ＬＩ）に記憶する。
このとき、
Ｘ２ＬＩは、構成された特定の期間にわたるＸ２リンク使用に必要な情報を含む。
【００２０】
その後、３０６では、１つ又は複数のＸ２リンクについてのステータスが、これらのリンクのセットアップの実行可能性に基づいて決定され得る。例示的一実施例では、このステータスは、以下のように求められ得る。
ステップ１：Ａｒｒａｙ＜ＮＢＳｉ＞におけるｊ番目のＮＢＳの各々について、ダイナミックＸ２  ＡＰ２０４が、（ｊ＜ｃｏｕｎｔ（Ａｒｒａｙ＜ＮＢＳｉ＞））となるまで、Ｘ２リンクの現ステータスをチェックする。Ｘ２リンクの現ステータスには、新たなＸ２リンク・セットアップの要件、又は既に確立されたＸ２リンクのアクティブ化を含んでよい。
ステップ２：ダイナミックＸ２  ＡＰ２０４が、Ｘ２リンクのステータスを、Ｍａｐ＜ＮＢＳｊ，Ｓｔａｔｕｓ＞に記憶する。
【００２１】
３０８では、実行可能性が決定したことに応答して、ダイナミックＸ２  ＡＰ２０４が、１つ又は複数のＸ２リンクを、その各々について、Ｘ２リンクのアクティブ化及びＸ２リンクのセットアップの開始の一方を実行することによって作成する。このリンク作成は、この１つ又は複数のＸ２リンクの各々の現ステータスに基づいて行われる。ＮＢＳに対するＸ２リンクの現ステータスには、新たなリンクのセットアップ要件を含んでよい。或いは、Ｘ２リンクの現ステータスには、ＮＢＳとの間の既に確立されたＸ２リンクのアクティブ化を含んでもよい。１つ又は複数のＸ２リンクを作成するために、各Ｘ２リンクについて、開始前分析が実行されてもよい。例示的一実施例では、この開始前分析は、以下のように実行され得る。
ステップ１：Ｍａｐ＜ＮＢＳｊ，Ｓｔａｔｕｓ＞におけるＮＢＳｉのＮＢＳ  ｉの各々について、ダイナミックＸ２  ＡＰ２０４が、ＮＢＳｉ＜ｃｏｕｎｔ（Ｍａｐ＜ＮＢＳｊ，Ｓｔａｔｕｓ＞）となるまで、ステップ２及びステップ４を実行する。
ステップ２：Ｍａｐ＜ＮＢＳｊ，Ｓｔａｔｕｓ＞から、各ＮＢＳについてのＸ２リンク・ステータスを抽出する。
ステップ３：Ｘ２リンクのステータスが「Ｓｅｔ  ｕｐ」であれば、ダイナミックＸ２  ＡＰ２０４が、Ｘ２  ＡＰセットアップ要求リンクを送信して、Ｘ２リンク・セットアップを開始する。逆に、このステータスが「Ａｃｔｉｖａｔｅ」であれば、ダイナミックＸ２  ＡＰ２０４は、ポートをアクティブ化することにより、あるＸ２リンクをアクティブ化し、したがって、あるＮＢＳを暗示する。
ステップ４：次いで、ダイナミックＸ２  ＡＰ２０４が、更新されたＸ２  ＡＰセットアップ情報を、Ｘ２ＡＰＬＩに記憶する。
【００２２】
その後、３１０では、ＳＢＳと１つ又は複数のＮＢＳとの間に作成された、１つ又は複数のＸ２リンクの各々の現使用状況が判断される。現使用状況は、１つ又は複数のＮＢＳの各々に関連付けられたハンドオーバ報告を分析することによって求められてよい。例示的一実施例では、この現使用状況は、以下のように求められ得る。
ステップ１：ＮＢＳｉ（ｉ≦ＮＢＳ＿Ｎｕｍ）におけるＮＢＳ  ｉの各々について、ダイナミックＸ２  ＡＰ２０４が、（ｊ≦ＮＢＳ＿Ｎｕｍ）となるまで、ステップ２からステップ５を実行する。
上式において、
ＮＢＳ＿Ｎｕｍは、ＮＢＳの総数である。
ステップ２：ハンドオーバ報告（ＨＲ：Ｈａｎｄｏｖｅｒ  Ｒｅｐｏｒｔ）を使用して、Ｘ２リンクの最後の使用をチェックする。
ステップ３：Ｘ２リンクについて、Ｉｄｅａｌｔｉｍｅを計算する。
このとき、
Ｉｄｅａｌｔｉｍｅは、Ｘ２リンクがアイドル状態のまま経過した時間である。
ステップ４：Ｉｄｅａｌｔｉｍｅ≧ＤｅａｃｔＴｉｍｅＴｈであれば、Ｘ２リンクをシャットダウンするためのイベントをトリガする。
上式において、
ＤｅａｃｔＴｉｍｅＴｈは、Ｘ２リンクのアイドル状態をチェックするための時間閾値である。
ステップ５：Ａｒｒａｙ＜Ｘ２ＡＰＡｃｔ，ｉ＞におけるアクティブなＸ２リンク、及びＡｒｒａｙ＜Ｘ２ＡＰＩｎａｃｔ，ｉ＞における非アクティブなＸ２リンクを記憶する。
【００２３】
３１２では、現使用状況を判断することに加えて、ダイナミックＸ２  ＡＰ２０４が、１つ又は複数のＸ２リンクの各々の将来の使用状況を予測する。将来の使用状況は、複数のＵＥから受信したＵＥ測定報告と、１つ又は複数の構成パラメータとに基づいて予測される。このことは、図４と併せて詳細に説明される。その後、３１４では、１つ又は複数のＸ２リンクを使用し、維持するために必要なネットワーク・リソースが求められる。例示的一実施例では、このネットワーク・リソースは、以下に示す式２を使用して求められ得る。
ＮｅｔＲｅｓｏｕｒｃｅ＝Ｎ＊［ＮＢＳ＿ｃｏｎｔｅｘｔ＋Ｘ２ＡＰＬｉｎｋ＿ＭＡ＋Ｘ２Ｌｉｎｋ＿Ｒｅｓｏｕｒｃｅ］＊Ｔ  …（２）
上式において、
ＮｅｔＲｅｓｏｕｒｃｅは、Ｘ２リンクのセットアップ又は維持に必要なリソース使用率である。
【００２４】
３１６では、現使用状況、予測された将来の使用状況、及びネットワーク・リソース要件に基づき、１つ又は複数のＸ２リンクが統合される。このことは、図５と併せて更に詳細に説明される。
【００２５】
上記方法では、ＵＥに関連付けられた優先度が、Ｘ２リンクの使用パターンと共に決定されるため、Ｘ２リンクの最適な確立が可能となる。このことは更に、ＢＳのＸ２リンクの最大数を制限することにもつながり、それにより、ネットワークの負荷を最適化する。あるＵＥについて決定された優先度は、優先されるＵＥのためのハンドオーバ中のＸ２リンク作成の優先順位を決めるのに使用され、その結果、サービス品質に影響が及ばない。そのうえ、アクティブなＸ２リンクが未使用のままとなり得る期間が予測されるので、Ｘ２リンクの効率的な終了（部分的又は完全な）が可能となる。
【００２６】
ここで図４を参照すると、一実施例による、Ｘ２リンクの将来の使用状況を予測するための方法のフローチャートが示されている。４０２では、ダイナミックＸ２  ＡＰ２０４が、各ＵＥから受信した、関連付けられた連続的なＵＥ測定報告に基づき、１つ又は複数のＮＢＳの各々についてのＮＢＳ  ＲＳＲＰ変化レート、及びＳＢＳについてのＳＢＳ  ＲＳＲＰ変化レートを計算する。換言すると、ＮＢＳ  ＲＳＲＰ変化レートは、あるＮＢＳと通信しているＵＥのために、そのＵＥから受信した測定報告を使用して計算される。この計算は、ＮＢＳと通信している全てのＵＥ、及びＳＢＳと通信している全てのＮＢＳについて繰り返される。加えて、ＳＢＳ  ＲＳＲＰ変化レートは、ＳＢＳと通信している全てのＵＥについて計算される。例示的一実施例では、ＮＢＳ  ＲＳＲＰ変化レート及びＳＢＳ  ＲＳＲＰ変化レートが、以下のように求められ得る。
ステップ１：測定タイマ（δｍｔ）を開始させる。
ステップ２：ｉ番目のＵＥの各々について、ｉ≦ＵＥ＿Ｎｕｍとなるまで、測定報告（ＭＲｉ）を受信し、ステップ３からステップ８を繰り返す。
上式において、
ＵＥ＿Ｎｕｍは、ＵＥの数である。
ステップ３：ＭＲｉにおけるｊ番目のＮＢＳの各々について、（ｊ≦ＮＢＳ＿Ｎｕｍ）となるまで、ステップ４からステップ８を繰り返す。
上式において、
ＮＢＳ＿Ｎｕｍは、ＮＢＳの数である。
ステップ４：測定報告ＭＲｉ，ｊから、ＵＥ報告されたＲＳＲＰ：ＲＳＲＰｊを抽出する。
ステップ５：以下に示す式３を使用して、ＮＢＳ  ＲＳＲＰ変化を計算する。
ＲＳＲＰδ（ｉ，ｊ）ｎｂｓ＝ＲＳＲＰｉ，ｊ−ＲＳＲＰｉ−１，ｊ  …（３）
上式において、
ＲＳＲＰδ（ｉ，ｊ）ｎｂｓは、ｉ番目のＵＥ及びｊ番目のＮＢＳの連続的な測定報告におけるＲＳＲＰの変化である。
ステップ６：ＲＳＲＰδ（ｉ，ｊ）ｎｂｓをマップ、即ち、ダイナミックＸ２  ＡＰ２０４の持続性メモリ内のＭａｐ＜ＵＥｉ，ＲＳＲＰδ（ｉ，ｊ）ｎｂｓ＞に記憶する。
ステップ７：以下に示す式４を使用して、ＳＢＳ  ＲＳＲＰ変化を計算する。
ＲＳＲＰδｉ，ｓｂｓ＝ＲＳＲＰｉ−ＲＳＲＰｉ−１  …（４）
上式において、
ＲＳＲＰδ（ｉ，ｓｂｓ）は、ｉ番目のＵＥ及びＳＢＳの連続的な測定報告におけるＲＳＲＰの変化である。
ステップ８：ＲＳＲＰδ（ｉ，ｓｂｓ）をアレイ、即ち、ダイナミックＸ２  ＡＰ２０４の持続性メモリ内のＡｒｒａｙ＜ＵＥｉ，ＲＳＲＰδ（ｉ，ｓｂｓ）＞に記憶する。
【００２７】
１つ又は複数のＮＢＳについて計算されたＮＢＳ  ＲＳＲＰ変化、即ち、ＲＳＲＰδ（ｉ，ｊ）ｎｂｓの各々と、ＳＢＳについて計算されたＳＢＳ  ＲＳＲＰ変化、即ち、ＲＳＲＰδ（ｉ，ｓｂｓ）ｓｂｓとを使用して、ダイナミックＸ２  ＡＰ２０４は、１つ又は複数のＮＢＳに関連付けられた各ＵＥについてのＮＢＳ  ＲＳＲＰ変化レート、及びＳＢＳに関連付けられた各ＵＥについてのＳＢＳ  ＲＳＲＰ変化レートを計算する。例示的一実施例では、これらのＲＳＲＰ変化レートは、以下のように求められ得る。
各ＮＢＳについて
ステップ１：Ｍａｐ＜ＵＥｉ，ＲＳＲＰδ（ｉ，ｊ）ｎｂｓ＞におけるｉ番目のＵＥ及びｊ番目のＮＢＳについて、ダイナミックＸ２  ＡＰ２０４が、（ｉ≦ＵＥ＿Ｎｕｍ）及び（ｊ≦ＮＢＳ＿Ｎｕｍ）となるまで、ステップ２とステップ３とを繰り返す。
ステップ２：以下に示す式５を使用して、ＲＳＲＰ変化レートを計算する。
ＲＳＲＰΔ／ｔ（ｉ，ｊ）＝（ＲＳＲＰδ（ｉ，ｊ）ｎｂｓ／δｍｔ）  …（５）
上式において、
ＲＳＲＰΔは、ＵＥから取得した、連続的な測定報告における受信信号の変化に等しい。
ステップ３：アレイＡｒｒａｙ＜ｉ，ＲＳＲＰΔ／ｔ（ｉ，ｊ）＞に、ＲＳＲＰΔ／ｔ（ｉ，ｊ）を記憶する。
ＳＢＳについて
ステップ１：Ｍａｐ＜ＵＥｉ，ＲＳＲＰδ（ｉ，ｊ）ｓｂｓ＞内の各ｉ番目のＵＥについて、ダイナミックＸ２  ＡＰ２０４が、（ｉ≦ＵＥ＿Ｎｕｍ）となるまで、ステップ２とステップ３とを繰り返す。
ステップ２：以下に示す式６を使用して、ＲＳＲＰ変化レートを計算する。
ＲＳＲＰΔ／ｔ（ｉ）＝（ＲＳＲＰδｉ，ｓｂｓ／δｍｔ）  …（６）
上式において、
ＲＳＲＰΔは、ＵＥから取得した、連続的な測定報告における受信信号の変化に等しい。
ステップ３：アレイＡｒｒａｙ＜ｉ，ＲＳＲＰΔ／ｔ（ｉ）＞に、ＲＳＲＰΔ／ｔ（ｉ）を記憶する。
【００２８】
４０４では、１つ又は複数のＮＢＳに関連付けられたＵＥの各々について計算されたＮＢＳ  ＲＳＲＰ変化レートと、ＳＢＳに関連付けられたＵＥの各々に関連付けられたＳＢＳ  ＲＳＲＰ変化レートとを使用して、ダイナミックＸ２  ＡＰ２０４が、ハンドオーバに向けて、１つ又は複数の潜在的ＵＥを識別する。その後、４０６では、ダイナミックＸ２  ＡＰ２０４が、ＳＢＳ及び１つ又は複数のＮＢＳに関連付けられたＵＥの各々について、予測ＲＳＲＰ  ＳＢＳ値及び予測ＲＳＲＰ  ＮＢＳ値を計算する。例示的一実施例では、各ＵＥについての予測ＲＳＲＰ  ＳＢＳ値及び予測ＲＳＲＰ  ＮＢＳ値は、以下のように求められ得る。
ステップ１：ｉ番目のＵＥ及びｊ番目のＮＢＳの各々について、ダイナミックＸ２  ＡＰ２０４が、（ｉ≦ＵＥ＿Ｎｕｍ）及び（ｊ≦ＮＢＳ＿Ｎｕｍ）となるまで、ＲＳＲＰΔ／ｔ（ｉ，ｊ）及びＲＳＲＰΔ／ｔ（ｉ）をチェックする。
ステップ２：以下に示す式７を使用して、予測時間を計算する。
ＰｒｅｄＴｉｍｅ＝δｍｔ＋Δｔ  …（７）
上式において、
ＰｒｅｄＴｉｍｅは、ＵＥが受信する信号強度を予測するための時間であり、
δｍｔは、測定タイマであり、
Δｔは、期限切れ後に経過した時間である。
ステップ３：ＰｒｅｄＴｉｍｅのとき、ＳＢＳについてのＲＳＲＰｐｒｅｄ＿ｓｂｓは、以下に示す式８を使用して予測し、ＮＢＳｊにおける各ｊについてのＲＳＲＰｐｒｅｄ＿ｎｂｓは、（ｊ≦ＮＢＳ＿Ｎｕｍ）となるまで、以下に示す式９を使用して予測する。
ＲＳＲＰｐｒｅｄ＿ｓｂｓ＝ＲＳＲＰδｍｔ＋（ＲＳＲＰΔ／ｔ（ｉ）ｘΔｔ）  …（８）
ＲＳＲＰｐｒｅｄ＿ｎｂｓ（ｊ）＝ＲＳＲＰδｍｔ＋（ＲＳＲＰΔ／ｔ（ｉ，ｊ）ｘΔｔ）  …（９）
ステップ４：Ｍａｐ＜ｉ，＜ＲＳＲＰｐｒｅｄ＿ｓｂｓ及びＲＳＲＰｐｒｅｄ＿ｎｂｓ（ｊ）＞＞内に、ＲＳＲＰｐｒｅｄ＿ｓｂｓ及びＲＳＲＰｐｒｅｄ＿ｎｂｓ（ｊ）を記憶する。
【００２９】
４０８では、関連付けられた予測値が、ＲＳＲＰエラー偏差の限界閾値と比較することにより、ＳＢＳ及び１つ又は複数のＮＢＳに関連付けられたＵＥの各々について検証される。例示的一実施例では、検証は、以下のように実行され得る。
ステップ１：Ｍａｐ＜ｉ，＜ＲＳＲＰｐｒｅｄ＿ｓｂｓ及びＲＳＲＰｐｒｅｄ＿ｎｂｓ（ｊ）＞＞におけるｉ番目のＵＥの各々ついて、ダイナミックＸ２  ＡＰ２０４が、（ｉ≦ＵＥ＿Ｎｕｍ）となるまで、ステップ２からステップ５を実行する。
ステップ２：検証タイマ（δｍｔ＋１）のとき、以下に示す式１０を使用して偏差を計算する。
ＲＳＲＰｄｅｖ＝ＲＳＲＰ（δｍｔ＋１）−ＲＳＲＰｐｒｅｄ＿ｓｂｓ  …（１０）
上式において、
ＲＳＲＰｄｅｖは、以前に予測されたＲＳＲＰと現在予測されるＲＳＲＰとの計算された偏差に等しい。
ステップ３：ＲＳＲＰｄｅｖ＜ＳｉｇＤＥＶＴｈであれば、ＲＳＲＰｐｒｅｄ＿ｓｂｓを記憶する。
ステップ４：ＮＢＳｊにおける各ｊについて、（ｊ≦ＮＢＳ＿Ｎｕｍ）となるまで、以下に示す式１１を計算する。
ＲＳＲＰｄｅｖ（ｊ）＝ＲＳＲＰ（δｍｔ＋１，ｊ）−ＲＳＲＰｐｒｅｄ＿ｓｂｓ（ｊ）  …（１１）
ステップ５：ＲＳＲＰｄｅｖ（ｊ）＜ＳｉｇＤＥＶＴｈであれば、Ｍａｐ＜ｉ，＜ＲＳＲＰｐｒｅｄ＿ｓｂｓ及びＲＳＲＰｐｒｅｄ＿ｎｂｓ（ｊ）＞＞を更新する。
【００３０】
ここで図５を参照すると、一実施例による、Ｘ２リンクを統合するための方法のフローチャートが示されている。５０２では、ダイナミックＸ２  ＡＰ２０４が、関連付けられた予測ＲＳＲＰ  ＳＢＳ値及び関連付けられた予測ＲＳＲＰ  ＮＢＳ値に基づき、１つ又は複数のＸ２リンクの各々の予測未使用時間を計算する。その後、５０４では、ダイナミックＸ２  ＡＰ２０４が、関連付けられた予測未使用時間が、あるアクティブなＸ２リンクについての未使用時間閾値を上回るときは、１つ又は複数のＸ２リンクのうちの１つを終了してもよい。例示的一実施例では、予測未使用時間は、以下のように計算され得る。
ステップ１：各ＮＢＳｊについて、ダイナミックＸ２  ＡＰ２０４が、（ｊ≦ＮＢＳ＿Ｎｕｍ）となるまで、ステップ２からステップ７を実行する。
ステップ２：Ｍａｐ＜ｉ，＜ＲＳＲＰｐｒｅｄ＿ｓｂｓ及びＲＳＲＰｐｒｅｄ＿ｎｂｓ（ｊ）＞＞から、ＲＳＲＰｐｒｅｄ＿ｓｂｓ及びＲＳＲＰｐｒｅｄ＿ｎｂｓ（ｊ）を抽出する。
ステップ３：ＲＳＲＰｐｒｅｄ＿ｓｂｓ及びＲＳＲＰｐｒｅｄ＿ｎｂｓ（ｊ）に基づき、未使用時間（Ｔｉｍｅｎｕ）を計算する。
ステップ４：Ｍａｐ＜ＮＢＳｊ，ｔｅｒｍｊ＞に、必要な場合に終了するためのＸ２リンク情報を格納する。
ステップ５：Ｍａｐ＜ＮＢＳｊ，ｄｅａｃｔｊ＞に、必要な場合に非アクティブ化するためのＸ２リンク情報を格納する。
ステップ６：Ｔｉｍｅｎｕ＞ＮＵＴｉｍｅＴｈであれば、Ｘ２リンクを切断する。
ステップ７：Ａｒｒａｙ＜Ｘ２ＡＰＡｃｔ，ｉ＞及びＡｒｒａｙ＜Ｘ２ＡＰｔｅｒｍ，ｉ＞を更新する。
【００３１】
５０６では、ダイナミックＸ２  ＡＰ２０４が、ＵＥの総数と、各ＵＥの品質制御指数と、それぞれの閾値を有するＸ２リンクの数との比較に基づき、１つ又は複数のＸ２リンクのうちの１つを再作成し得る。例示的一実施例では、予測未使用時間は、以下のように計算され得る。
ステップ１：Ｍａｐ＜ｉ，ＲＳＲＰｐｒｅｄ＿ｎｂｓ（ｊ）＞におけるＮＢＳｊの各ｊについて、（ｊ≦ＮＢＳ＿Ｎｕｍ）となるまで、ステップ２からステップ４を実行する。
ステップ２：ＵＥｃｏｕｎｔ＞ＵＥＴｈであれば、既に作成されたＸ２リンクの数（Ｘ２ＡＰｃｒｅａｔｅｄ）を判定する。そうでなければ、ＵＥＱＣＩ＞ＵＥＱＣＩ＿ｔｈかどうかをチェックする。これが成り立てば、やはり（Ｘ２ＡＰｃｒｅａｔｅｄ）が判定される。
このとき、
ＵＥｃｏｕｎｔは、ＵＥの数であり、
ＵＥＴｈは、ＵＥの数の閾値である。
ステップ３：Ｘ２ＡＰｃｒｅａｔｅｄ＞Ｘ２ＡＰＬｉｎｋＭａｘであれば、１つ又は複数のＸ２リンクを終了する。そうでなければ、ＮＢＳｊについてのＸ２リンク使用情報を受信する。
このとき、
Ｘ２ＡＰＬｉｎｋＭａｘは、Ｘ２リンクの最大数である。
ステップ４：Ａｒｒａｙ＜Ｘ２ＡＰＩｎａｃｔ，ｊ＞から、非アクティブＸ２リンク情報がＮＢＳで利用可能であれば、ＳＢＳからＮＢＳへのＸ２リンク作成イベントをトリガする。
【００３２】
５０２から５０６の実行後、１つ又は複数のＸ２リンクの統合に基づいて更新された情報は、ダイナミックＸ２  ＡＰ２０４の半持続性メモリに記憶されると共に、ＭＡＩ２１２を通じて、ＭＡ２１０に通信される。
【００３３】
図６は、様々な実施例（例えば、ＳＩＭＤデバイス、クライアント・デバイス、サーバ・デバイス、１つ又は複数のプロセッサ等）に対する処理機能を実装するために採用され得る、例示的コンピューティング・システム６００を示している。当業者であれば、他のコンピュータ・システム又はアーキテクチャを使用して本発明を実装する方法も看取されよう。例えば、コンピューティング・システム６００は、デスクトップ、アクティビティｍｏｎ監視デバイス、着用可能ポータブル電子デバイス、携帯電話、パーソナル・エンターテイメント・デバイス、ＤＶＲ等のユーザ・デバイス、或いは、所与のアプリケーションや環境について望ましいもの又は適切なものとなり得る、他のタイプの専用又は汎用コンピューティング・デバイスを表し得る。コンピューティング・システム６００は、プロセッサ６０２等、１つ又は複数のプロセッサを含むことができる。プロセッサ６０２は、例えば、マイクロプロセッサ、マイクロコントローラ、又は他の制御ロジック等、汎用又は専用の処理エンジンを使用して実装することができる。この実例では、プロセッサ６０２は、バス６０４又は他の通信媒体に接続されている。
【００３４】
コンピューティング・システム６００は、情報及びプロセッサ６０２によって実行されることになる命令を記憶するために、ランダム・アクセス・メモリ（ＲＡＭ：Ｒａｎｄｏｍ  Ａｃｃｅｓｓ  Ｍｅｍｏｒｙ）や他の動的メモリ等、メモリ６０６（メイン・メモリ）も含むことができる。メモリ６０６は、プロセッサ６０２によって実行されることになる命令の実行中に、一次変数や他の中間情報を記憶するためにも使用され得る。コンピューティング・システム６００は、静的情報及びプロセッサ６０２向けの命令を記憶するために、バス６０４に結合された、リード・オンリ・メモリ（「ＲＯＭ」）や他の静的ストレージ・デバイスも同様に含んでよい。
【００３５】
コンピューティング・システム６００は、ストレージ・デバイス６０８も含み得る。ストレージ・デバイス６０８は、例えば、メディア・ドライブ６１０及びリムーバブル・ストレージ・インタフェースを含み得る。メディア・ドライブ６１０には、ハード・ディスク・ドライブ、フロッピー・ディスク・ドライブ、磁気テープ・ドライブ、ＳＤカード・ポート、ＵＳＢポート、マイクロＵＳＢ、光ディスク・ドライブ、ＣＤ若しくはＤＶＤドライブ（Ｒ若しくはＲＷ）、又はその他のリムーバブル若しくは固定型メディア・ドライブ等、固定型若しくはリムーバブル・ストレージ・メディアをサポートするためのドライブや他の機構を含み得る。ストレージ・メディア６１２には、メディア・ドライブ６１０によって読み取り及び書き込みが行われる、例えば、ハード・ディスク、磁気テープ、フラッシュ・ドライブ、又はその他の固定型若しくはリムーバブル・メディアを含み得る。これらの例が示すように、ストレージ・メディア６１２には、特定のコンピュータ・ソフトウェア又はデータが記憶されている、コンピュータ可読記憶媒体を含み得る。
【００３６】
代替的実施例ではコンピュータ・プログラム又は他の命令若しくはデータをコンピューティング・システム６００にロードできるようにするために、ストレージ・デバイス６０８が、類似する他の手段を含んでもよい。そのような手段には、例えば、リムーバブル・ストレージ・ユニット６１４及びストレージ・ユニット・インタフェース６１６が含まれ得る。リムーバブル・ストレージ・ユニット６１４及びストレージ・ユニット・インタフェース６１６の例としては、プログラム・カートリッジ及びカートリッジ・インタフェース、リムーバブル・メモリ（例えば、フラッシュ・メモリ若しくは他のリムーバブル・メモリ・モジュール）及びメモリ・スロット、並びに他のリムーバブル・ストレージ・ユニット及びインタフェース（リムーバブル・ストレージ・ユニット６１４からコンピューティング・システム６００に対するソフトウェア及びデータの転送を可能にするもの）等が挙げられる。
【００３７】
コンピューティング・システム６００は、通信インタフェース６１８も含むことができる。通信インタフェース６１８は、コンピューティング・システム６００と外部デバイスとの間で、ソフトウェア及びデータの転送を可能とするために使用することができる。通信インタフェース６１８の例としては、ネットワーク・インタフェース（イーサネット（登録商標）や他のＮＩＣカード等）、通信ポート（例えば、ＵＳＢポート、マイクロＵＳＢポート等）、近距離無線通信（ＮＦＣ：Ｎｅａｒ  ｆｉｅｌｄ  Ｃｏｍｍｕｎｉｃａｔｉｏｎ）等を挙げることができる。通信インタフェース６１８を介して転送されるソフトウェア及びデータは信号の形態であり、電子的なもの、電磁的なもの、光学的なもの、又は通信インタフェース６１８が受信可能な他の信号とすることができる。これらの信号は、チャネル６２０を介して、通信インタフェース６１８に提供される。チャネル６２０は信号を搬送してもよく、ワイヤレス・メディア、ワイヤ若しくはケーブル、ファイバ・オプティックス、又はその他の通信メディアを使用して実装され得る。チャネル６２０の幾つかの例としては、電話回線、携帯電話リンク、ＲＦリンク、Ｂｌｕｅｔｏｏｔｈ（登録商標）リンク、ネットワーク・インタフェース、ローカル又はワイド・エリア・ネットワーク、及び他の通信チャネルが挙げられる。
【００３８】
本文書において、「コンピュータ・プログラム製品」及び「コンピュータ可読媒体」という用語は、例えば、メモリ６０６、ストレージ・デバイス６０８、リムーバブル・ストレージ・ユニット６１４、又はチャネル６２０上の信号等のメディアを広く指すために使用され得る。プロセッサ６０２に対する１つ又は複数の命令の１つ又は複数のシーケンスを実行に向けて提供する際には、これらの、及びその他の形態のコンピュータ可読媒体が関連することもある。そのような、広く「コンピュータ・プログラム・コード」（コンピュータ・プログラムや他のグループの形態に分類される場合もある）と呼ばれる命令は、その実行時に、コンピューティング・システム６００が、本発明の実施例が持つ特徴や機能を実行することを可能にする。
【００３９】
これらの要素がソフトウェアを使用して実装される実施例において、そのソフトウェアは、コンピュータ可読媒体に記憶され、例えば、リムーバブル・ストレージ・ユニット６１４、メディア・ドライブ６１０、又は通信インタフェース６１８を使用して、コンピューティング・システム６００にロードされてよい。制御ロジック（この実例では、ソフトウェア命令又はコンピュータ・プログラム・コード）は、プロセッサ６０２によって実行されると、プロセッサ６０２に、本明細書に説明される発明の機能を実行させる。
【００４０】
明瞭性のために、上記の説明では、本発明の実施例を、異なる機能ユニット及びプロセッサを参照しながら記述しているということが理解されよう。しかし、異なる機能ユニット、プロセッサ、又はドメインの間で、機能の適切な分配が、本発明を損なうことなく、任意で使用されてよいことも明白であろう。例えば、別個のプロセッサ又はコントローラによって実行されるものと例示された機能は、同一のプロセッサ又はコントローラによって実行されてもよい。よって、特定の機能ユニットに対する参照は、説明された機能を提供するのに適切な手段に対する参照としてのみ見なされるべきであり、厳密な論理的又は物理的構造又は構成の指示と見なされるべきではない。
【００４１】
様々な実施例が、ワイヤレス通信ネットワークにおいてＸ２リンクを管理するための方法及びシステムを開示する。Ｘ２リンクの使用パターン及び、ＵＥに関連付けられた優先度の決定により、Ｘ２リンクの最適な確立が可能となる。このことは、ＢＳのＸ２リンクの最大数を制限することにつながり、それにより、ネットワークの負荷を最適化する。あるＵＥについて決定された優先度は、優先されるＵＥのために、ハンドオーバ中のＸ２リンク作成を優先させるために使用され、その結果、サービス品質に影響が及ばない。そのうえ、アクティブなＸ２リンクが未使用のままとなり得る期間が予測されるので、Ｘ２リンクの効率的な終了（部分的又は完全な）が可能となる。
【００４２】
本明細書は、ワイヤレス通信ネットワークにおけるＸ２リンクの管理のための方法及びシステムを説明した。例示されたステップは、示された例示的実施例の説明のために記載されたものであり、進みゆく技術的発展が、特定の機能の実行様式を変化させるであろうことは見込まれるべきである。これらの実例は、例示を目的として本明細書に提示されたものであり、限定ではない。更に、機能を構築する諸ブロックが持つ境界は、説明の便宜のため、本明細書では恣意的に定められている。それらが持つ指定の機能及び関係が適切に機能する限りにおいて、代替的境界を定めることも可能である。当業者にとっては、本明細書に含まれる教示を基にした代替形態（本明細書で説明された要素の等価形態、拡張形態、変形形態、仕様変更形態等を含む）も明らかであろう。そのような代替形態は、開示された実施例の範囲及び趣旨の範囲内にある。
【００４３】
更に、本開示に沿った実施例を実装する際に、１つ又は複数のコンピュータ可読記憶媒体が使用されてよい。コンピュータ可読記憶媒体とは、プロセッサによって読み取り可能な情報やデータを記憶可能な、あらゆるタイプの物理メモリのことを指す。よって、コンピュータ可読記憶媒体は、本明細書で説明された実施例に沿うステップ又はステージをプロセッサに実行させる命令も含めて、１つ又は複数のプロセッサが実行するための命令を記憶し得る。「コンピュータ可読媒体」という用語は、有形の品目を含み搬送波及び過渡信号は除外するもの、即ち、非一時的なものと理解されるべきである。例としては、ランダム・アクセス・メモリ（ＲＡＭ）、リード・オンリ・メモリ（ＲＯＭ）、揮発性メモリ、不揮発性メモリ、ハード・ドライブ、ＣＤ  ＲＯＭ、ＤＶＤ、フラッシュ・ドライブ、ディスク、及びその他あらゆる既知の物理的記憶媒体が挙げられる。
【００４４】
本開示及び実例が単なる例示と見なされ、開示された実施例の真の範囲及び趣旨は、続く特許請求の範囲によって示されることが意図される。
【図１】
0006763670.tif 000005
【図２】
0006763670.tif 000006
【図３】
0006763670.tif 000007
【図４】
0006763670.tif 000008
【図５】
0006763670.tif 000009
【図６】
0006763670.tif 000010